(57)【特許請求の範囲】
【請求項１】
天板を支持する支持体に係り合い部をスライド可能に設け、この係り合い部を前記天板の縁部に着脱可能としつつ、当該縁部の端面との間に凹凸関連部を構成するように係り合わせて、当該天板を支持体に取り付けるようにしたことを特徴とする天板取付構造。
【請求項２】
係り合い部が支持体の離間位置に一対に設けられ、一方の係り合い部はスライド可能であり、他方の係り合い部は固定であって、他方の係り合い部を天板の他方の対向縁部に係り合わせ、当該対向縁部の端面との間に凹凸関連部を構成するとともに、一方の係り合い部をスライドさせて、天板の一方の対向縁部との間に凹凸関連部を構成するようにしている請求項１記載の天板取付構造。
【請求項３】
凹凸関連部は縦断面において天板の縁部又は係り合い部の一方に設けたテーパ状の凹部と他方に設けたテーパ状の凸部とが係り合う関係にあり、係り合った状態で係り合い部の上面と天板の上面とが面一に連続するように構成している請求項１又は２記載の天板取付構造。
【請求項４】
凹凸関連部は平面視において天板の縁部又は係り合い部の端部の一方に設けた凹部内に他方に設けた凸部が収まるように係り合う関係にあり、係り合った状態で見掛け上凹部及び凸部が一体的に連続して天板の一部を構成するようにしている請求項１〜３記載の天板取付構造。
【請求項５】
天板を表裏反転させた際に、支持体の係り合い部と天板の共通の縁部との間に同様の凹凸関連部が構成されるようにしている請求項１〜４記載の天板取付構造。
【請求項６】
天板を水平旋回させた際に、支持体の係り合い部と天板の複数の縁部との間にそれぞれ凹凸関連部が構成されるようにしている請求項１〜５記載の天板取付構造。
【請求項７】
請求項１〜６記載の天板取付構造を利用して、支持体がデスクの主天板に取り付けられ、天板が主天板の前縁に連続する位置に配置されていることを特徴とするデスク。
【請求項８】
支持体が、主天板への取付位置を当該主天板の巾方向に沿って可変とされており、天板が少なくともその一部に湾曲縁部を備えたものであって、少なくとも巾方向の２箇所で表裏反転又は水平旋回させて配置し得るようにしている請求項７記載のデスク。
【発明の詳細な説明】
【技術分野】
【０００１】
本発明は、天板を反転させて支持体に取り付ける場合等に好適に利用される天板取付構造及びこれを利用したデスクに関するものである。
【背景技術】
【０００２】
天板を表裏反転して取り付けるようにしたものとして、特許文献１に示すもの等が知られている。このものは、表裏面の使用が可能な天板と、当該天板の上面の一部に被覆される固定体とがフレームに着脱自在に接合されている接合部構造であって、フレームの上部に小孔が設けられ、天板の外周近傍の面部に肉厚方向の貫通孔が形成され、当該天板の貫通孔に嵌挿可能な突出部が前記固定体の下面に設けられていると共に、突出部の内部には下方から螺入するネジを螺合可能な雌ネジが形成されている。そして、天板の貫通孔に嵌挿された固定体の突出部の雌ネジに、フレームの小孔に下方から挿通されたネジが螺合されて、天板がフレームに着脱可能に取り付けられるようにしている。
【特許文献１】特許第３０７６９０５号公報
【発明の開示】
【発明が解決しようとする課題】
【０００３】
ところが、このように肉厚方向から天板を取り付ける取付構造であると、天板の表裏に開口する貫通孔を設けることが不可欠であり、天板の表面をそのまま化粧面として利用することができない。そこで、叙述のようにその貫通孔を塞ぐべく、天板の一部を覆うカバーとしての固定体を被せて、その固定体の下方に設けた突出部を貫通孔に差し込み、下方からフレームの小孔に挿し通したネジによって固定するようにしている。
【０００４】
このため、天板の表面の周囲に沿って固定体が大きな縁部材のように表出して化粧面の見栄え、すなわち天板本来の化粧機能が損なわれてしまう不具合がある。また、下方からネジ止めする構造であるため、作業も煩わしいものとなる。
【０００５】
本発明は、このような課題に着目してなされたものであって、天板の化粧面をそのまま活用することができ、表裏反転した使用や取付方位を変更した使用などを簡単、適切に採用し得るようにした天板取付構造及びこれを利用したデスクを提供することを目的としている。
【課題を解決するための手段】
【０００６】
本発明は、かかる目的を達成するために、次のような手段を講じたものである。
【０００７】
すなわち、本発明の天板取付構造は、天板を支持する支持体に係り合い部をスライド可能に設け、この係り合い部を前記天板の縁部に着脱可能としつつ、当該縁部の端面との間に凹凸関連部を構成するように係り合わせて、当該天板を支持体に取り付けるようにしたことを特徴とする。
【０００８】
このように構成すると、天板の表裏何れの面も取付に利用しないので、天板の化粧面にねじ孔等の加工が不要となり、天板の化粧機能が毀損されることを有効に回避することができる。また、このような構造であると、着脱操作を天板の縁部近傍で行うことができるので、作業性も有効に向上させることができる。
【０００９】
また、係り合い部を支持体にスライド可能に設け、この係り合い部を天板の縁部に、当該縁部の端面との間に凹凸関連部を構成するように係り合わせるようにしているために、簡単な操作で確実な取付状態を得ることが可能である。
【００１０】
他に依存することなく、この天板取付構造のみによって天板を支持するためには、係り合い部が支持体の離間位置に一対に設けられ、一方の係り合い部はスライド可能であり、他方の係り合い部は固定であって、他方の係り合い部を天板の他方の対向縁部に係り合わせ、当該対向縁部の端面との間に凹凸関連部を構成するとともに、一方の係り合い部をスライドさせて、天板の一方の対向縁部との間に凹凸関連部を構成するようにしていることが好ましい。
【００１１】
凹凸関連部の好ましい実施の態様としては、縦断面において天板の縁部又は係り合い部の一方に設けたテーパ状の凹部と他方に設けたテーパ状の凸部とが係り合う関係にあり、係り合った状態で係り合い部の上面と天板の上面とが面一に連続するように構成しているものが挙げられる。
【００１２】
同様に、凹凸関連部の好ましい実施の態様としては、平面視において天板の縁部又は係り合い部の端部の一方に設けた凹部内に他方に設けた凸部が収まるように係り合う関係にあり、係り合った状態で見掛け上凹部及び凸部が一体的に連続して天板の一部を構成するようにしているものが挙げられる。
【００１３】
天板を表裏面を有効に活用可能にするためには、天板を表裏反転させた際に、支持体の係り合い部と天板の共通の縁部との間に同様の凹凸関連部が構成されるようにしていることが望ましい。
【００１４】
また、天板の取付方位を有効に変更可能とするためには、天板を水平旋回させた際に、支持体の係り合い部と天板の複数の縁部との間にそれぞれ凹凸関連部が構成されるようにしていることが望ましい。
【００１５】
本発明の天板取付構造は、以上説明した構成であるから、これを利用して、支持体がデスクの主天板に取り付けられ、天板が主天板の前縁に連続する位置に配置されたデスクとすれば、天板を拡張主天板として有効に活用することができる。
【００１６】
この場合、支持体が、主天板への取付位置を当該主天板の巾方向に沿って可変とされており、天板が少なくともその一部に湾曲縁部を備えたものであって、少なくとも巾方向の２箇所で表裏反転又は水平旋回させて配置し得るようにしているものであれば、デスクの形態を種々変形させて目的・用途に応じた良好な使い勝手を追求することができる。
【発明の効果】
【００１７】
本発明は、以上説明した構成であるから、天板の化粧面をそのまま活用することができ、表裏反転した使用や取付方位を変更した使用などを簡単、適切に採用し得るように天板取付構造及びこれを利用して天板を主天板に取り付けたデスクを提供することが可能となる。
【発明を実施するための最良の形態】
【００１８】
以下、本発明の一実施形態を、図面を参照して説明する。
【００１９】
図１は、この実施形態の取付構造を利用して、主天板１を拡張する位置に支持体２を介して天板３を取り付けたデスクを示すものである。
【００２０】
具体的に説明すると、支持体２は、図２及び図３に示すように、床への接地部となるアジャスタ２１ａを有する起立部２１と、この起立部２１の上端側に一体的に接続された面板部２２とを具備してなるもので、この実施形態の場合、起立部２１及び面板部２２は矩形板状をなしていて、面板部２２の上面が天板受け２ｘとして設定されている。面板部２２には、上方に突出させた状態で一対の係り合い部２３，２４が平行をなすように当該面板部２２の対向辺に沿って配置されている。反主天板１側に位置づけられる一方の係り合い部２３は凸部である突条部２３ａを有する可動のものであり、主天板１側に位置づけられる他方の係り合い部２４は前記突条部２３ａと同様の突条部２４ａを有する固定のものであって、一方の係り合い部２３の可動動作は、突条部２３ａの基端を支持する支持片２３ｂが面板部２２内に差し込まれた状態でスライドすることによって与えられる。そのために、支持片２３ｂと面板部２２との間には、図示しない適宜のガイド機構が設けられている。両係り合い部２３，２４の突条部２３ａ、２４ａには、縦断面において図４に示すように互いに向き合う方向に漸次狭まるテーパ状（台形状）の凸部２３ａｘ、２４ａｘが形成されている。
【００２１】
前記面板部２２には、図２及び図３に示すように、更に起立部２１から離れる方向に取付片２５が一体的に延び出ており、その取付片２５上に設けた台座２５ａに概略平行四辺形状の裏当具２５ｂが一対に取り付けてある。これらの裏当具２５ｂは、図５に示すように主天板１の下面肉厚内に設けたレールＲの下向の開口巾方向に対して、同図中想像線で示すように短辺を略合致させた状態でレールＲ内に進入し、その位置で下方から裏当具２５ｂに捻じ込んだボルトｖを締めることによって、裏当具２５ｂが図中実線で示す位置まで水平旋回して長辺方向の端部２５ｂｘがレールＲ内の立壁に突き当たり、その後更にボルトｖを締め込むことによって、裏当具２５ｂと取付片２５との間にレールＲの開口縁ｒを挟み込んで取り付けるものである。このとき台座２５ａは、レールＲの開口縁ｒ、ｒ間に緊密に位置づけられる。勿論、主天板１の下面に巾方向に沿って所定ピッチでスリットを設け、そのスリットを利用して天板巾方向の随意の位置に取付片２２を固定するように構成ことも可能である。
【００２２】
このようにして、取付片２５を天板３に取り付け、前記起立部２１のアジャスタ２１ａを調節すると、面板部２２を水平に保つと同時に取付片２５を主天板１の下面１ｂに密着させることができる。支持体２の取付状態で、図６に示すように、他方の係り合い部２４の突条部２４ａが主天板１の前縁１ｃに密着して配置されるように構成されている。
【００２３】
一方、この支持体２に支持される本実施形態の天板３は、一部に湾曲縁部３Ｒを有する異形状のものである。具体的には、前縁部３１よりも後縁部３２が長く、外縁部３３は前縁部３１及び後縁部３２と直交し、内縁部３４は前縁部３１と直交するが後縁部３２に対しては滑らかに湾曲する湾曲縁部３Ｒを介して連なるものである。そして、この天板３の前縁部３１及び後縁部３２の一部に、前記係り合い部２３，２４が嵌り込む切欠３５，３６が設けてある。この切欠３５，３６は、断面視した場合に図４に示すように前記突条部２３ａ、２４ａのテーパ状の凸部２３ａｘ、２４ａｘに嵌り合うテーパ状の凹部３５ａｘ、３６ａｘを有し、平面視した場合に図７に示すように切欠３５，３６の内側を前記突条部２３，２４の全体を受容する凹部３５ａ、３６ａとするものである。突条２３，２４のテーパ状の凸部２３ａｘ、２４ａｘや切欠３５，３６のテーパ状の凹部３５ａｘ、３６ａｘは、天板３の厚み方向や巾方向に対して対称な形状をなしている。
【００２４】
そして、一方の係り合い部２３の突条部２３ａを他方の係り合い部２４の突条部２４ａから遠ざけた図４（ａ）の状態で、突条部２３ａ、２４ａ間に若干のクリアランスをもって同図（ｂ）に示すように天板３を配置できる寸法関係に設定している。一方の係り合い部２３は、この位置から少なくとも他方の係り合い部２４との間に天板３を密接に挟持する同図（ｃ）の位置までスライド可能とされている。
【００２５】
すなわち、図４（ａ）→（ｂ）、図７（ａ）、図８に示すように、先ず天板３の後縁側の切欠３６を主天板１の前縁側に位置づけた突条部２４に嵌め合わせて支持体２の面板部２２の上面に載せ置く。このとき、平面視において切欠３６の凹部３６ａと突条部２４との間に凹凸関連部Ｓ１を形成し、これによって天板３の後縁部３２を天板巾方向に位置決めするとともに、縦断面において切欠３６内に形成したテーパ状の凹部３６ａと突条部２４のテーパ状の凸部２４ａｘとの間に凹凸関連部Ｓ２を形成し、これによって天板３を上下方向に位置決めする。そして、この位置から一方の係り合い部２３をスライドさせることによって、図４（ｃ）、図７（ｂ）図１に示すように、突条部２３を天板３の前縁部３１側の切欠３５に嵌め合わせる。このとき、平面視において切欠３５の凹部３５ａと突条部２３との間に凹凸関連部Ｔ１を形成し、これによって天板３の前縁部３１を天板巾方向に位置決めするとともに、縦断面において切欠３５内に形成したテーパ状の凹部３５ａと突条部２３のテーパ状の凸部２３ａｘとの間に凹凸関連部Ｔ２を形成し、これによって天板３を上下方向に位置決めする。
【００２６】
スライド機構は、一方の係り合い部２３の作動端でクリックストップする機能を備えていることが望ましい。
【００２７】
この結果、天板は図１に示すように主天板を拡張する位置に配置され、上載荷重は後端部３２側を取付片２５を介して主天板１に支持され、前端部３１側を床に起立させた起立部２１に支持されることとなる。この状態において、図１及び図４（ｃ）に示すように、一方の係り合い部２３の突条部２３ａの上面２３ａｚ、天板３の上面３ａ、他方の係り合い部２４の突条部２４ａの上面２４ａｚ、主天板１の上面１ａは、面一に連続するように設定してある。
【００２８】
以上のように、本実施形態の天板取付構造は、天板を支持する支持体２に係り合い部２３をスライド可能に設け、この係り合い部２３を天板３の前縁部３１に着脱可能としつつ、当該前縁部３１の端面との間に凹凸関連部Ｔ１，Ｔ２を構成するように係り合わせることにより、当該天板３を支持体２に、面方向及び上下方向に固定した状態で取り付けるようにしたものである。
【００２９】
このように、天板３の表裏何れの面も取付に利用しないので、天板３の化粧面にねじ孔等の加工が不要となり、天板３の化粧機能が毀損されることを有効に回避することができる。また、このような構造であると、着脱操作を天板３の前縁部３１近傍で行うことができるので、作業性も有効に向上させることができる。
【００３０】
また、係り合い部２３をスライドさせるだけで、天板３を凹凸で規制される方向に確実に位置決め固定することができる。
【００３１】
特に、係り合い部２３，２４が支持体２の離間位置に一対に設けられ、一方の係り合い部２３はスライド可能であり、他方の係り合い部２４は固定であって、他方の係り合い部２４を天板３の他方の対向縁部である後縁部３２に係り合わせ、当該後縁部の端面との間に凹凸関連部Ｓ１、Ｓ２を構成するとともに、一方の係り合い部２３をスライドさせて、天板３の一方の対向縁部である前縁部３１との間に凹凸関連部Ｔ１，Ｔ２を構成するようにしているので、支持体２に一対に設けた係り合い部２３，２４によって、天板３を両縁部から挟み込むようにして取り付けることができるので、主天板１に付帯して取り付ける場合に当該主天板１の前縁部１ｃに対する加工が不要になり、天板３を主天板１に付帯させた状態で支持体２に有効に取り付けることができる。
【００３２】
より具体的には、凹凸関連部Ｓ２、Ｔ２は縦断面において天板３の縁部３１，３２に設けたテーパ状の凹部３５ａ、３６ａと係り合い部２３ａ、２４ａに設けたテーパ状の凸部２３ａｘ、２４ａｘとが係り合う関係にあり、係り合った状態で係り合い部２３ａ、２４ａの上面２３ａｚ、２４ａｚと天板３の上面３ａとが面一に連続するように構成しているので、テーパに沿った円滑な嵌め合い動作を通じて、取付後に凹凸関連部Ｓ２，Ｔ２の上面を面一な連続面にして、天板３の浮き上がりを確実に防止することができる。
【００３３】
また、凹凸関連部Ｓ１，Ｔ１は平面視において天板３の縁部３１、３２に設けた凹部３５，３６内に係り合い部２３，２４に設けた凸部である突条部２３ａ、２４ａが収まるように係り合う関係にあり、係り合った状態で見掛け上凹部３５，３６及び突条部２３ａ、２４ａが一体的に連続して天板３の一部を構成するようにしているので、取付後に凹凸関連部Ｓ１，Ｔ１を見掛け上、天板３に同化させて、天板３の平面方向の位置ずれを確実に防止することができる。
【００３４】
そして、上記のような構成であるから、例えば図９に示すように天板３を表裏反転させると、支持体２の係り合い部２３，２４と天板３の共通の縁部３１，３２との間に再度同様の凹凸関連部Ｓ１，Ｔ１、Ｓ２，Ｔ２を構成できることになり、その際に天板面を傷つけていないので、表裏反転してもカバー部材等を用いずに天板３の何れの面もそのまま化粧面として有効に活用することができる。
【００３５】
そして、このデスクは、支持体２がデスクの主天板１に取り付けられ、天板３が主天板１の前縁部１ｃに連続する位置に配置されるので、天板３を拡張主天板として有効に活用することができる。
【００３６】
しかも支持体２を、主天板１への取付位置を当該主天板１の巾方向に沿って可変としており、天板３も異形なもの、具体的には一部に湾曲縁部３Ｒを備えたものであって、例えば図９に示すように巾方向の必要な箇所で表裏反転させて左右対称に配置する態様等を可能にしているので、デスクの形態を種々変形させて目的・用途に応じた良好な使い勝手を追求することができる。
【００３７】
なお、各部の具体的な構成は、上述した実施形態のみに限定されるものではなく、本発明の趣旨を逸脱しない範囲で種々変形が可能である。
【００３８】
例えば、図１０に示すように、支持体１０２が上記と同様に主天板１への取付位置を当該主天板１の巾方向に沿って可変とされており、天板１０３が異形なものであって、少なくとも巾方向の２箇所で水平旋回させて配置し得るように構成することもできる。
【００３９】
そのためには、天板３を水平旋回させた際に、支持体１０２の係り合い部１２３，１２４と天板１０３の縁部１３１，１３２との間にそれぞれ上記と同様の凹凸関連部Ｓ１，Ｓ２，Ｔ１，Ｔ２が構成されるようにしておけばよい。
【００４０】
これによれば、天板３を長方形や異形のものにして、取付姿勢に応じて使い勝手を有効に変化させることが可能となる。
【００４１】
また、図１１に示すように、ワゴン等の支持体２０２に一対に係り合い部２２３，２２４を設け、これらの２２３，２２４によって天板２０３を両縁部から挟み込むように取り付けることができるので、天板２０３の縁部を突き当てたり引っ掛けておくような場所が一切ない場合にも、天板３を支持体２に有効に取り付けることができる。
【図面の簡単な説明】
【００４２】
【図１】本発明の一実施形態に係る天板取付構造を適用したデスクの斜視図。
【図２】同分解図。
【図３】天板取付構造の具体的な構成を示す斜視図。
【図４】主天板への天板の取付手順を示す縦断面図。
【図５】主天板への天板の取付手順を示す要部縦断面図。
【図６】主天板への天板の取付手順を示す斜視図。
【図７】主天板への天板の取付手順を示す平面図。
【図８】主天板への天板の取付手順を示す斜視図。
【図９】同実施形態の作用説明図。
【図１０】本発明の変形例を示す図。
【図１１】本発明の変形例を示す図。
【符号の説明】
【００４３】
１…主天板
２…支持体
３…天板
２３，２４…係り合い部
２３ａ、２４ａ…凸部（突条部）
２３ａｘ、２４ａｘ…テーパ状の凸部
３１…前縁部
３２…後縁部
３５ａ、３６ａ…凹部
３５ａｘ、３６ａｘ…テーパ状の凹部
Ｓ１，Ｓ２，Ｔ１，Ｔ２…凹凸関連部
【図１】
0005207234.tif 000002
【図２】
0005207234.tif 000003
【図３】
0005207234.tif 000004
【図４】
0005207234.tif 000005
【図５】
0005207234.tif 000006
【図６】
0005207234.tif 000007
【図７】
0005207234.tif 000008
【図８】
0005207234.tif 000009
【図９】
0005207234.tif 000010
【図１０】
0005207234.tif 000011
【図１１】
0005207234.tif 000012